(57)【要約】      （修正有）【課題】小動物や害虫の入口たる開口部をできるだけ広く維持することができ、しかも上方からの応力に強くて潰れにくく、捕獲効果を確実に高く維持することができる捕獲具を提供する。【解決手段】中央部台紙３に連設された左右の側部台紙４ａ、４ｂとを有し、少なくとも前記中央部台紙の上面に粘着剤層２が形成され、前記左右の側部台紙の遊端辺部に、互いに係合可能な雌雄の係合部８、９が形成され、これら係合部が互いに嵌め合わされることにより角筒状に形成される小動物あるいは害虫捕獲具において、前記雄係合部９は、前記遊端辺部から突出し、基部よりも横幅の大なる最大幅部を有し、前記雌係合部８は、前記遊端辺と平行をなし、前記雄係合部の最大幅部が挿通可能な横長のスリット１４を有し、前記雌雄の係合部を嵌め合わせた状態において、前記雌係合部が雄係合部を湾曲した状態で保持するように構成した。【選択図】  図３
2007097408.tif 000002
【特許請求の範囲】
【請求項１】
中央部台紙と、この中央部台紙に連設された左右の側部台紙とを有し、少なくとも前記中央部台紙の上面に粘着剤層が形成され、前記左右の側部台紙の遊端辺部に、互いに係合可能な雌雄の係合部が形成され、これら係合部が互いに嵌め合わされることにより角筒状に形成される小動物あるいは害虫捕獲具において、前記雄係合部は、前記遊端辺部から突出し、基部よりも横幅の大なる最大幅部を有し、前記雌係合部は、前記遊端辺と平行をなし、前記雄係合部の最大幅部が挿通可能な横長のスリットを有し、前記雌雄の係合部を嵌め合わせた状態において、前記雌係合部が雄係合部を湾曲した状態で保持するように構成してなる小動物あるいは害虫捕獲具。
【請求項２】
前記雌係合部は、前記雄係合部の横幅亘り中央部を押圧する突起を有することを特徴とする請求項１に記載の小動物あるいは害虫捕獲具。
【請求項３】
前記雌係合部は、前記スリットにおける遊端辺側の一片から遊端辺に続く２本の切り込みを有することを特徴とする請求項１に記載の小動物あるいは害虫捕獲具。
【請求項４】
前記雌係合部は、前記スリットにおける遊端辺側の一片から遊端辺に続く２本の切り込みを有し、この２本の切り込みの間隔は、前記突起の幅とほぼ同じかこの幅よりも大とすることを特徴とする請求項２に記載の小動物あるいは害虫捕獲具。
【請求項５】
前記雌係合部は、スリットにおける前記遊端辺とは反対側の一片を折り線として連続するフラップを有し、このフラップを折り曲げることによって前記スリットが形成されるように構成してなる請求項１に記載の小動物あるいは害虫捕獲具。
【発明の詳細な説明】
【技術分野】
【０００１】
本発明はねずみ等の有害な小動物あるいはごきぶり等の害虫を粘着剤によって捕える捕獲具に関する。
【背景技術】
【０００２】
粘着剤を用いてねずみ等の小動物を捕獲する器具は、従来から各種のものがあり、粘着剤を上面に塗布した台紙を折って筒状に組み立て、筒状内部に小動物を捕らえるようにしたものがある（例えば、特許文献１参照）。
【０００３】
上述のように、筒状に組み立てるものの場合、筒の軸線方向両端における開口部が小動物の入口となるため、この開口部はできるだけ広い状態を維持できるようにする必要がある。
【０００４】
しかしながら、両端部が開口する筒状体であることから、当然のことながら上方からの応力に脆弱であり、使用の経過とともに徐々に上部が下がってきて開口面積が小となったり、あるいは上から物を落とした場合に簡単に潰れてしまって、上部内面が粘着剤に付着してしまったりということが往々にしてあり、小動物の捕獲効果が減殺されたり、捕獲具自体が使えなくなったりというケースがあった。
【特許文献１】特開２００１−１３６８９１号公報（第１〜４頁、図１〜９）
【発明の開示】
【発明が解決しようとする課題】
【０００５】
本発明は、小動物や害虫の入口たる開口部をできるだけ広く維持することができ、しかも上方からの応力に強くて潰れにくく、捕獲効果を確実に高く維持することができる捕獲具を提供することを目的としている。
【課題を解決するための手段】
【０００６】
上記課題を解決するために、本発明の請求項１に係る小動物あるいは害虫捕獲具は、中央部台紙と、この中央部台紙に連設された左右の側部台紙とを有し、少なくとも前記中央部台紙の上面に粘着剤層が形成され、前記左右の側部台紙の遊端辺部に、互いに係合可能な雌雄の係合部が形成され、これら係合部が互いに嵌め合わされることにより角筒状に形成される小動物あるいは害虫捕獲具において、前記雄係合部は、前記遊端辺部から突出し、基部よりも横幅の大なる最大幅部を有し、前記雌係合部は、前記遊端辺と平行をなし、前記雄係合部の最大幅部が挿通可能な横長のスリットを有し、前記雌雄の係合部を嵌め合わせた状態において、前記雌係合部が雄係合部を湾曲した状態で保持するように構成したものとしてある。
【０００７】
本発明の請求項２に係る小動物あるいは害虫捕獲具は、前記雌係合部が、前記雄係合部の横幅亘り中央部を押圧する突起を有することを特徴としている。
【０００８】
本発明の請求項３に係る小動物あるいは害虫捕獲具は、前記雌係合部が、前記スリットにおける遊端辺側の一片から遊端辺に続く２本の切り込みを有することを特徴としている。
【０００９】
本発明の請求項４に係る小動物あるいは害虫捕獲具は、前記雌係合部が、前記スリットにおける遊端辺側の一片から遊端辺に続く２本の切り込みを有し、この２本の切り込みの間隔は、前記突起の幅とほぼ同じかこの幅よりも大とすることを特徴としている。
【００１０】
本発明の請求項５に係る小動物あるいは害虫捕獲具は、前記雌係合部を、スリットにおける前記遊端辺とは反対側の一片を折り線として連続するフラップを有し、このフラップを折り曲げることによって前記スリットが形成されるように構成したものとしてある。
【発明の効果】
【００１１】
本発明によれば、雌雄の係合部を嵌め合わせると、雄側の係合部がその差し込み方向を軸として湾曲した状態で保持されるので、雄側の係合部が平坦な状態で保持された場合に比して格段に上方からの応力に対する強度が増大し、全体としての剛性を向上せしめることができ、また、雌雄の係合部どうしの係合強度の向上も期すことができる。
【００１２】
したがって、上から落ちた物によって押し潰されて使えなくなったり、台紙の強度低下にともなって開口面積が小となったりするおそれが少なくなり、捕獲効果を長期間維持することができる。
【００１３】
また、雌係合部にフラップを有するものでは、フラップを折り曲げることによってスリットを形成するので、折り曲げたフラップが雌雄の係合部を補強し、さらなる剛性の向上を図ることができる。
【発明を実施するための最良の形態】
【００１４】
以下、本発明に係る捕獲具の実施例を添付図面に示す具体例に基づいて詳細に説明する。
本発明に係る捕獲具は、ボール紙等よりなる台紙１の上面に耐水または耐油コートを施してあり、その上に前後左右辺部の非粘着部を除いて粘着剤層２を形成してあって、この粘着剤層２は横断面が山と谷の連続する波型に形成されていて、粘着剤層２の最大厚さを台紙の厚さよりも小なるものとしてある。
【００１５】
台紙１は中央部台紙３と、その左右に側部台紙４ａ、４ｂが形成され、中央部台紙３と側部台紙４ａ、４ｂ間に背部５を折目６ａによって形成してある。
【００１６】
前記中央部台紙３の前後辺部には折り重ね枠片７ａを折目６ｂによって形成してあり、また、左右の側部台紙４ａ、４ｂの各前後辺部にも折り重ね枠片７ｂ、７ｂを折目６ｃによって形成してあって、中央部台紙の折り重ね枠片７ａと側部台紙の折り重ね枠片７ｂとは前記背部５の部位で不連続となるよう独立して形成されている。
【００１７】
左右の側部台紙４ａ、４ｂの各遊端辺部にはそれぞれ互いに係合し得る雌係合部８と雄係合部９が形成されていて、雌係合部８は２本の切り込み線で区画されるフラップ８ａを折目８ｂから台紙の上面側（粘着剤層２側）へ折り込むことにより係合用のスリット１４が形成されるようになっており、また、前記雄係合部９は右側部台紙４ｂの外端辺における雄係合部９に並ぶ折り込み片１０を折目１０ａから台紙の上面側へ折り込むことにより右側部台紙４ｂの遊端辺から突出させられるようにしてある。
【００１８】
前記雄係合部９は小幅首部９ａに続いて大幅頭部９ｂが形成されていて、この大幅頭部９ｂは先細りとなっているが、最大幅部は前記雌係合部８の係合用スリット１４の幅と同じかわずかに大となっている。
【００１９】
前記中央部台紙３の左右辺部寄りには折目１１、１１により、中央の底板部１２と左右の腰板部１３、１３に区画されていて、前記折目１１は折り重ね枠片７ａを含む中央部台紙３の前後幅亘りに形成されており、折り重ね枠片７ａを前後に広げた状態、すなわち図１に示す展開斜視図の状態において、前記折目１１から左右の腰板部１３、１３を台紙の上面側へ立ち上げることができるようになっている。
【００２０】
しかして、前記雌係合部８におけるスリット１４は、雄係合部９を湾曲した状態で保持できる構成のものとしてあって、スリット１４の遊端辺とは反対側の辺の中央に突起１５を設けてあり、この突起によって雄係合部９の中央部を下方から押し上げた状態で保持することにより、雄係合部をその差込方向を軸として湾曲させるようになっている。
【００２１】
なお、前記雄係合部９を湾曲した状態で保持する手段としては、上述した突起１５によるほかに、スリット１４自体を例えば円弧状のように湾曲した形状や、折れ線状のものとする場合もある。
【００２２】
上述のように構成した本発明のねずみ取りは、運搬、保管、販売の際には台紙１を前後の折り重ね枠片７ａ、７ｂを折目６ｂ、６ｃで台紙１の上面に折り返し、次いで左右の側部台紙４ａ、４ｂを中央部台紙３側へ折り曲げ、各側部台紙４ａ、４ｂの折り重ね枠片７ｂ、７ｂを中央部台紙３の折り重ね枠片７ａへ重ねて観音扉状に三つ折りにする。
【００２３】
上述した三つ折りの状態において、側部台紙４ａ、４ｂの粘着剤と中央部台紙３の粘着剤とが向かい合わせになるが、側部台紙４ａ、４ｂと中央部台紙３との間の間隔は前後の折り重ね枠片７ａ、７ｂおよび背部５によって少なくとも台紙の厚さの２倍以上に離間されていて、台紙の厚さは粘着剤層２の最大厚さよりも大であるから、側部台紙４ａ、４ｂの粘着剤と中央部台紙３の粘着剤とが粘り着くことはまずない。
【００２４】
また、中央部台紙３の底板部１２と腰板部１３との間の折目１１は、中央部台紙の上面側へ折り返されている折り重ね枠片７ａによって折れ止めされ、中央部台紙が折れ曲がったり撓んだりすることがないようになっている。
【００２５】
上述した構成の捕獲具を使用する際には、上述した三つ折りの状態から、まず左右の側部台紙４ａ、４ｂを観音開き様に開き、さらに図１のごとく前後の各折り重ね枠片７ａ、７ｂも開いてフラットな１枚物に展開する。
【００２６】
次ぎに、左の側部台紙４ａにおける雌係合部８のフラップ８ａを折目８ｂから切り起し、また、右の側部台紙４ｂにおける折り込み片１０を折目１０ａから折り込む。
【００２７】
そして、中央部台紙３における左右の腰板部１２、１２を折目１１で台紙１の上面側に折って立ちあげ、さらに左右の側部台紙４ａ、４ｂを拝み合わせにした状態で各側部台紙の雌雄の係合部８、９を係合せしめて屋根部１６を形成し、筒状体に形成する。
【００２８】
上述のように筒状体に形成した捕獲具は、例えばねずみ等の捕獲対象の出そうな場所（部屋の隅など）に置いて使用し、必要に応じて粘着剤層２の上に捕獲対象の好む餌を載せておく。
【００２９】
捕獲対象は、例えばねずみの場合、部屋の隅あるいは溝やトンネル状の狭い通路を通りたがる習性があり、ねずみは部屋の隅に設置してある筒状にした本発明の捕獲具の中へ入り込む。
したがって、上述した構成のものでは入口たる開口部の形状が広い状態で安定的に維持されるので、捕獲効果を高く保つことができる。
【００３０】
そして捕獲対象は粘着剤層２の箇所まで入ると、中央部台紙３の粘着剤層２に足を取られ、しかも屋根部１４の内側、すなわち側部台紙４ａ、４ｂの粘着剤層２が捕獲対象の背中に粘り着き身動きができなくなって捕獲される。
【００３１】
なお、本発明の捕獲具は、図１示されるようなフラットな状態でそのまま床に置いて使用する場合もある。
【図面の簡単な説明】
【００３２】
【図１】本発明に係る捕獲具の実施例を示す斜視図。
【図２】雌雄の係合部を示す斜視図。
【図３】本発明に係る捕獲具を筒状に組み立てた状態を示す斜視図。
【図４】本発明に係る捕獲具の縦断側面図。
【符号の説明】
【００３３】
１ 台紙
２ 粘着剤層
３ 中央部台紙
４ａ、４ｂ 側部台紙
５ 背部
６ａ、６ｂ、６ｃ 折目
７ａ、７ｂ 折り重ね枠片
８ 雌係合部
９ 雄係合部
１０ 折り込み片
１１ 折目
１２ 底板部
１３ 腰板部
１４ スリット
１５ 突起
１６ 屋根部
【図１】
2007097408.tif 000003
【図２】
2007097408.tif 000004
【図３】
2007097408.tif 000005
【図４】
2007097408.tif 000006